(57)【特許請求の範囲】
【請求項１】
緑化トレイを折板屋根の上に固定する緑化トレイの取付構造であって、
上記緑化トレイは、底面に磁性体を取り付けた構造とされ、該緑化トレイを上記折板屋根の頂部に載置して、上記磁性体を該頂部の上面に磁着させた構成とされ、
上記磁性体は、上記緑化トレイの底部に螺合させたボルト体の先端に取り付けられて進退自在に配されていることを特徴とする、緑化トレイの取付構造。
【請求項２】
請求項１において、
上記磁性体は、上記ボルト体に揺動自在に取り付けられていることを特徴とする、緑化トレイの取付構造。
【請求項３】
請求項１または２において、
上記緑化トレイの底面にはスペーサ脚片が形成されていることを特徴とする、緑化トレイの取付構造。
【請求項４】
請求項１〜３のいずれか１項において、
上記緑化トレイの上端部には、該緑化トレイの開口部を覆う飛散防止体を係止するフックが形成されていることを特徴とする、緑化トレイの取付構造。
【請求項５】
請求項１〜４のいずれか１項において、
上記緑化トレイは、上記折板屋根の複数の頂部に跨設されることを特徴とする、緑化トレイの取付構造。
【発明の詳細な説明】
【技術分野】
【０００１】
本発明は、緑化トレイを折板屋根の上に固定する緑化トレイの取付構造に関する。
【背景技術】
【０００２】
近年、ヒートアイランド対策をはじめとする都市環境の改善のために、建築物の屋根上に植栽を行う屋上緑化技術が提案されている。その中でも最近では、山部および谷部を連続形成した折板屋根の上面に緑化トレイを敷き詰めるようにした緑化トレイの取付構造が提案されている（例えば、特許文献１参照）。
【０００３】
具体的には、従来の折板屋根に対する緑化トレイの取付構造は、折板屋根の互いに隣り合う山部に矩形状の緑化トレイを架設して、隣接する複数の緑化トレイを四隅等でボルト、ナットを用いて固定金具で押さえ込んで固定するものである。
【先行技術文献】
【特許文献】
【０００４】
【特許文献１】特開２００５−１０５５３６号公報
【発明の概要】
【発明が解決しようとする課題】
【０００５】
しかしながら、従来の緑化トレイの取付構造には、以下の問題があった。
【０００６】
すなわち、上記従来の緑化トレイの取付手順は、まず折板屋根の山部より突出したボルトの軸部を挟むように複数の緑化トレイを隣設してから、それらの緑化トレイの上端より突き出たボルトに平板状の固定金具を挿通し、その上からナットで螺合して、それらの緑化トレイの端部を押圧固定する手順となっており、取付作業には多大なる時間を要していた。
【０００７】
また、固定金具を４つの緑化トレイの隣接する隅部に取り付ける場合、すくなくとも４つの緑化トレイを並べた後でなければ固定作業はできないから、作業者は並べた緑化トレイを踏みつけないようにするために不安定な体勢で作業しなければならず、きわめて不便で効率の悪い作業を強いられていた。
【０００８】
本発明は、このような問題を解決するために提案されたもので、その目的は、ボルト、ナット等の螺合による固定作業を必要とせずに、緑化トレイを簡単かつ強固に折板屋根の上に固定できる、緑化トレイの取付構造を提供する。
【課題を解決するための手段】
【０００９】
上記目的を達成するために請求項１に記載の緑化トレイの取付構造は、緑化トレイを折板屋根の上に固定する緑化トレイの取付構造であって、緑化トレイは、底面に磁性体を取り付けた構造とされ、該緑化トレイを上記折板屋根の頂部に載置して、上記磁性体を該頂部の上面に磁着させた構成とされ、磁性体は、緑化トレイの底部に螺合させたボルト体の先端に取り付けられて進退自在に配されていることを特徴とする。
【００１０】
（削除）
【００１１】
請求項２に記載の緑化トレイの取付構造は、磁性体がボルト体に揺動自在に取り付けられていることを特徴とする。
【００１２】
請求項３に記載の緑化トレイの取付構造は、緑化トレイの底面にスペーサ脚片が形成されていることを特徴とする。
【００１３】
請求項４に記載の緑化トレイの取付構造は、緑化トレイの上端部に、緑化トレイの開口部を覆う飛散防止体を係止するフックが形成されていることを特徴とする。
【００１４】
請求項５に記載の緑化トレイの取付構造は、緑化トレイが折板屋根の複数の頂部に跨設されることを特徴とする。
【発明の効果】
【００１５】
請求項１に記載の緑化トレイの取付構造によれば、磁性体を用いて緑化トレイを折板屋根に取り付ける構成であるため、ボルト、ナット等の螺合作業を必要とせず、緑化トレイを簡単、迅速かつ強固に折板屋根に取り付けることができる。
【００１６】
また、磁性体が緑化トレイの底部に螺合させたボルト体の先端に取り付けられて進退自在となっているので、緑化トレイの取付（高さ）位置の調節を簡単に行える。
【００１７】
請求項２に記載の緑化トレイの取付構造によれば、磁性体がボルト体に揺動自在に取り付けられているので、折板屋根の山部の頂部に対する取付角度を調節でき、折板屋根や緑化トレイに寸法誤差がある場合にも容易に取り付けられる。
【００１８】
請求項３に記載の緑化トレイの取付構造によれば、緑化トレイの底面にスペーサ脚片が形成されているので、スペーサ脚片と磁性体とで緑化トレイを山部の頂部に安定的に取り付けできる。
【００１９】
請求項４に記載の緑化トレイの取付構造によれば、緑化トレイの上端部に、緑化トレイの開口部を覆う飛散防止体を係止するフックが形成されているので、飛散防止体を確実に取り付けでき、トレイ内の植栽、土などの飛散の防止を図ることができる。
【００２０】
請求項５に記載の緑化トレイの取付構造によれば、緑化トレイが折板屋根の複数の頂部に跨設される構成であるため、さらに緑化トレイの取り付けが安定化する。
【図面の簡単な説明】
【００２１】
【図１】（ａ）は本発明の一実施形態に係る緑化トレイの取付構造の概略正面図、（ｂ）は同概略平面図である。
【図２】（ａ）は緑化トレイの斜視図、（ｂ）は同平面図である。
【図３】（ａ）、（ｂ）は図２（ｂ）のＡ−Ａ線矢視拡大縦断面図である。
【図４】（ａ）、（ｂ）は緑化トレイの取付構造に使用される磁性体の磁着例を示す要部拡大縦断面図である。
【図５】本発明の他の実施形態に係る緑化トレイの取付構造の正面図である。
【発明を実施するための形態】
【００２２】
以下に、本発明の実施の形態について、添付図面を参照しながら説明する。
【００２３】
図１（ａ）は本発明の一実施形態に係る緑化トレイの取付構造の概略正面図、図１（ｂ）は同概略平面図である。
【００２４】
緑化トレイ１０の取付対象は、図１（ａ）に示しているように折板屋根４０である。
【００２５】
この折板屋根４０は、鋼材等の磁着体で製され、山部４１と谷部４２が交互に連続した屋根であって、正面視で折板屋根４０と同形状の屋根材支持金具（図示省略）に支持固定されている。
【００２６】
緑化トレイ１０は、合成樹脂等で製され、上方に開口部１３を有した矩形パン形状となっており、トレイ内空間に土等が収容され、種々の植物が植えられるようになっている。この緑化トレイ１０は、長手方向の一方の側端部１４の下部に設けた嵌合凸部１４ａと、他方の側端部１４の下部に形成した嵌合凹所１４ｂとより、隣接配置する緑化トレイ１０と連設されている。
【００２７】
図例では、緑化トレイ１０は折板屋根４０の複数の山部４１に跨設されており、隣接する緑化トレイ１０同士を安定的に連結させるために、嵌合凸部１４ａと嵌合凹所１４ｂとは図例のように頂部４１ａの上で嵌合している。
【００２８】
また、図１（ａ）、（ｂ）に示すように、緑化トレイ１０の底面１２には、複数の磁性体が取り付けてあり（図例では円盤状の永久磁石２０が縦１列に２個ずつ計３列に６個取り付けられている）、縦１列の永久磁石２０が折板屋根４０の山部４１の頂部４１ａに対応するように配され、それらの永久磁石２０が頂部４１ａに磁着するようにした、緑化トレイの取付構造となっている。
【００２９】
このような緑化トレイの取付構造によれば、永久磁石２０を用いて緑化トレイ１０を折板屋根４０に取付固定する構成であるため、ボルト、ナット等の螺合作業を必要とせず、緑化トレイ１０を簡単、迅速かつ強固に折板屋根４０に取り付けることができる。
【００３０】
なお、本実施形態では、以下に説明するように永久磁石２０をボルト体３０（図２参照）の先端に取り付けたものを例示しているが、永久磁石２０を緑化トレイ１０の底面に直接貼付固定したものでもよい。
【００３１】
ついで、図１に示した緑化トレイの取付構造の詳細について、図２〜図４を参照しながら説明する。
【００３２】
図２（ａ）は緑化トレイ１０の斜視図、図２（ｂ）は同平面図である。図３（ａ）、（ｂ）は図２（ｂ）のＡ−Ａ線矢視拡大縦断面図である。この図３（ａ）、（ｂ）は緑化トレイ１０の取付手順を示している。図４（ａ）、（ｂ）は緑化トレイの取付構造に使用される永久磁石２０の磁着例を示す要部拡大縦断面図である。
【００３３】
緑化トレイ１０の下部（底面１２側）には、嵌合凸部１４ａと嵌合凹所１４ｂを結ぶように長手方向に沿って肉抜きされた突条片が形成されている。この突条片は、折板屋根４０の頂部４１ａと、緑化トレイ１０の底面１２との間に永久磁石２０を配するためのスペーサ脚片１５を構成している。なお、スペーサ脚片１５は長手方向に沿った突条片でなくてもよく、１つの突条片の代わりに複数の突起で構成してもよい。また、突条片は図例のような２片１組でなくてもよく、１片でもよいし、肉抜き片でなくてもよい。
【００３４】
永久磁石２０は、図例では、緑化トレイ１０の底面１２に、中央のスペーサ脚片１５の前後に、横１列に３個ずつ配されている。
【００３５】
また、緑化トレイ１０の底部１１には永久磁石２０の取付位置に対応してボルト螺合孔１１ａが形成され、そのボルト螺合孔１１ａにはボルト体３０が螺着されており、底部１１の外側（底面側）に突出したボルト体３０の先端に永久磁石２０が取り付けられて、ボルト体３０の螺進、螺退によって永久磁石２０が進退できる構成となっている。なお、本実施形態ではボルト体３０としてボルト頭３４に十字溝が形成された十字ボルトを使用している。
【００３６】
具体的には図４に示すように、永久磁石２０は、すくなくとも一方面２１（屋根に磁着させる取付面）が露出されるようにカバー体２５が被着されており、永久磁石２０の他方面２２と、その他方面２２を覆うカバー体２５の中央の膨出部２５ａとの間にボルト体３０の先端部が、膨出部２５ａに設けた孔部２５ｂを通じて装着されている。
【００３７】
ボルト体３０の先端部には、径をボルト本体部３３の径よりもやや小としたネック部３１を介して、径をカバー体２５の孔部２５ｂの径よりも大とするなどして孔部２５ｂから抜け出ない大きさとした装着体３２が設けられている。また、ネック部３１は孔部２５ｂとは遊挿状態となっており、かつカバー体２５の厚さ寸法よりも長く形成されている。
【００３８】
したがって、このようにして永久磁石２０をボルト体３０の先端に取り付けることで、永久磁石２０はボルト体３０に対して揺動自在となる。なお、永久磁石２０を揺動自在とするには、ネック部３１のようなくびれを有さなくてもよく、少なくともボルト体３０がカバー体２５の孔部２５ｂに遊挿され、かつ装着体３２が外れないものであれば他の構造であってもよい。
【００３９】
このように、底面１２に永久磁石２０を設けた緑化トレイ１０は、まず図３（ａ）に示すように、折板屋根４０の頂部４１ａの上に永久磁石２０が配されるように載置される。
【００４０】
この状態では永久磁石２０は折板屋根４０の頂部４１ａに磁着しておらず、緑化トレイ１０はスペーサ脚片１５によって頂部４１ａに仮置きされた状態にあり、その後、ボルト体３０を螺進させることで、図３（ｂ）に示すように永久磁石２０が頂部４１ａに磁着して、緑化トレイ１０は折板屋根４０に固定される。
【００４１】
このように緑化トレイ１０にスペーサ脚片１５を設けた構成によれば、緑化トレイ１０の頂部４１ａへの設置がより安定し、永久磁石２０が外れることを防止でき、永久磁石２０による固定を補完できる。
【００４２】
また、緑化トレイ１０にスペーサ脚片１５がなく、永久磁石２０のみで緑化トレイ１０を取付固定する取付構造（後出の図５で例示）では、緑化トレイ１０は頂部４１ａへの載置と同時に磁着固定されてしまうためその後の緑化トレイ１０の位置合わせがしにくくなるが、スペーサ脚片１５を有し、かつ永久磁石２０を進退自在とした本実施形態の構成であれば、いったん載置した後でも位置合わせを容易に行える。
【００４３】
また、図４に示してあるように、折板屋根４０の頂部４１ａと、緑化トレイ１０の底面１２とが成形誤差等のため平行となっていない場合でも、永久磁石２０がボルト体３０に対して揺動自在に取り付けられているため、永久磁石２０は頂部４１ａの上面と磁力で引き合ったときにわずかに揺動して、頂部４１ａに磁着する。
【００４４】
このように永久磁石２０が揺動自在で、頂部４１ａに対する取付角度が磁着タイミングで自動調節される構成であるため、永久磁石２０が頂部４１ａに対して傾いた状態で磁着することはなく、確実、強固に磁着できる。よって、取り付けた後の緑化トレイ１０に風雨等の負荷がかかった場合でも、永久磁石２０が頂部４１ａから外れるおそれはほとんどない。
【００４５】
また、緑化トレイ１０は、そのトレイ内の短手方向の両内側壁の上端部つまり開口部１３の幅方向の両端に、長手方向に沿って複数のフック１６を備えている。
【００４６】
このフック１６は、緑化トレイ１０の開口部１３を覆うネット状の飛散防止体Ｓを係止するためのものであり、これにより飛散防止体Ｓを確実に取り付けでき、トレイ内の植栽、土などの収容物の飛散を防止することができる。
【００４７】
つぎに、本発明の他の実施形態について図５を用いて説明する。
【００４８】
図５は、他の実施形態に係る緑化トレイの取付構造の概略正面図である。なお、永久磁石２０の緑化トレイ１０の底面１２に対する取付構造は図２〜図４に示したものと同様であるため、図示および詳細な説明は省略する。
【００４９】
この実施形態における緑化トレイ１０は、スペーサ脚片１５（図２参照）を有していない。よって、緑化トレイ１０は永久磁石２０のみによって折板屋根４０の頂部４１ａに固定、支持される。
【００５０】
そのため、永久磁石２０と、緑化トレイ１０の底面１２より突き出たボルト体３０とが脚片代わりとなるから、取り付けたボルト体３０の螺進の程度によって、緑化トレイ１０の取付（高さ）位置の調節を簡単に行える。図５に示したように、緑化トレイ１０の跨設対象の複数の山部４１が成形誤差により高さが異なる場合でも、全ての頂部４１ａに対して確実に永久磁石２０を磁着させることができる。
【００５１】
以上に説明した２実施形態では、永久磁石２０がボルト体３０に対して揺動する例を示したが、ボルト体３０に対して固定されたものでもよい。特に、図５に示した実施形態のものでは、緑化トレイ１０がスペーサ脚片１５（図２参照）を有していないので、永久磁石２０が揺動しないほうが緑化トレイ１０ががたつかず、望ましい。また、図５の実施形態では、緑化トレイ１０を安定的に取り付けるためには磁着面がより大きな永久磁石２０を用いることが望ましい。例えば、複数の山部４１に跨るような永久磁石を取り付けてもよい。
【符号の説明】
【００５２】
１０      緑化トレイ
１１      底部
１１ａ      ボルト螺合孔
１２      底面
１３      開口部
１４      側端部
１４ａ      嵌合凸部
１４ｂ      嵌合凹所
１５      スペーサ脚片
１６      フック
２０      永久磁石（磁性体）
２１      一方面
２２      他方面
２５      カバー体
３０      ボルト体
３１      ネック部
３２      装着体
４０      折板屋根
４１      山部
４１ａ      頂部
４２      谷部
【図１】
0005238798.tif 000002
【図２】
0005238798.tif 000003
【図３】
0005238798.tif 000004
【図４】
0005238798.tif 000005
【図５】
0005238798.tif 000006